(57)【要約】【課題】忘れやすい物を手元から離れた場所に置いた場合でも忘れ物を防止できる器具を提供する。【解決手段】忘れやすい物品が認識できるように板状部材４１と、板状部材に設けられた孔４２と、孔４２を利用して所望の場所に板状部材４１を固定する交換可能な固定部材４３とを備え、固定部材４３は、紐４３ｂとクリップ４３ａとで構成される。普段、自動車内に置いてある傘の柄の部分に忘れ物防止器具４を取り付けておき、傘を持って車内から出るときに忘れ物防止器具４を取り外して自動車のハンドルの握り部分に取り付ける。店舗等の傘立てに傘を忘れてしまっても、自動車に乗り込んだときに傘を忘れたことに気付き、取りに戻ることができる。【選択図】図４
0003194291.tif 000002
【実用新案登録請求の範囲】
【請求項１】
忘れやすい物品が認識できるように表示された板状又はシート状部材と、
前記板状又はシート状部材に設けられた孔と、
前記孔を利用して所望の場所に前記板状又はシート状部材を固定する交換可能な固定部材とを備え、
前記固定部材は、紐、鎖、輪ゴム、金属製又は樹脂製リング、フック、吸盤、磁石、クリップのうち、少なくとも一つを含むものからなる忘れ物防止具。
【請求項２】
前記表示は、忘れやすい物品の名称を文字で記載したものであり、
前記文字は、物品によって色分けされたものである請求項１に記載の忘れ物防止具。
【請求項３】
前記固定部材は、紐又は鎖とクリップとからなり、
前記クリップは、自動車のハンドルの円環部を把持可能であり、かつ、傘の持ち手部を把持可能である請求項１又は２に記載の忘れ物防止具。
【考案の詳細な説明】
【技術分野】
【０００１】
本考案は、傘などの忘れ物を防止する器具に関するものである。
【背景技術】
【０００２】
電源等を用いない簡易な忘れ物防止器具として、忘れやすい物と身体とを繋ぎ止めるものが提案されている（特許文献１）。
【先行技術文献】
【特許文献】
【０００３】
【特許文献１】特開平１１−２０６４３６号公報
【考案の概要】
【考案が解決しようとする課題】
【０００４】
しかし、特許文献１の技術では、忘れやすい物を手元から離れた場所に置かなければならない場合、使用することができなかった。
本考案は、このような事情に鑑みてなされたものであり、忘れやすい物を手元から離れた場所に置いた場合でも忘れ物を防止できる器具を提供することを目的としている。
【課題を解決するための手段】
【０００５】
上記課題を解決するために、本考案は、忘れやすい物が認識できるように表示された板状又はシート状部材と、板状又はシート状部材に設けられた孔と、孔を利用して所望の場所に板状又はシート状部材を固定する交換可能な固定部材とを備え、固定部材は、紐、鎖、輪ゴム、金属製又は樹脂製リング、フック、吸盤、磁石、クリップのうち、少なくとも一つを含むもので構成されている。
【０００６】
表示の方法は、忘れやすい物の名称を文字で記載したものとし、文字は、物によって色分けされたものとしてもよい。
【０００７】
固定部材を、紐又は鎖とクリップとで構成し、クリップを自動車のハンドルの円環部を把持可能であり、かつ、傘の持ち手部を把持可能としてもよい。
【考案の効果】
【０００８】
本考案によれば、忘れやすい物を手元から離れた場所に置いた場合でも、忘れ物を防止することができる。
【図面の簡単な説明】
【０００９】
【図１】第一の実施形態に係る忘れ物防止器具を示した説明図である。
【図２】第二の実施形態に係る忘れ物防止器具を示した説明図である。
【図３】第三の実施形態に係る忘れ物防止器具を示した説明図である。
【図４】第四の実施形態に係る忘れ物防止器具を示した説明図である。
【考案を実施するための形態】
【００１０】
以下、本考案である忘れ物防止器具を具体化した実施例について図面を参照しつつ説明する。
【００１１】
（第一の実施形態）
まず、第一の実施形態に係る忘れ物防止器具１の構成について、図１を参照して説明する。忘れ物防止器具１は、シート状部材１１、シート状部材に設けられた孔１２、固定部材１３で構成される。
【００１２】
シート状部材１１は、厚手の紙製で表面がラミネート加工されている。また、両面に忘れやすい物の名称（本実施形態では「かさ」）が文字で記載されている。孔１２は、文字を正面から見たときに文字の上方に設けられている。固定部材１３は、金属製リングであり可撓性の金属で環状に形成されている。また、一部に切れ目が設けられ、切れ目同士が係止できるようになっている。
【００１３】
つぎに、忘れ物防止器具１の使用方法について説明する。例えば、雨の日に自動車で飲食店に出かけたとする。駐車場から店舗まで距離がある場合、傘をさすことになる。傘を店舗入り口の傘立てに立て、店内に入るが帰る段になって雨が止んでいると傘を忘れてしまうことがよくある。忘れ物防止器具１は、これを防止するためのものである。自動車から離れるときに、例えばウインカーレバーに忘れ物傘防止器具１を引っかけておけば、自動車に乗り込んだときに傘を飲食店に忘れたことに気付き、取りに戻ることができる。忘れ物防止器具１は、このように使用するものであるから、シート状部材１１は、複数枚用意し、それぞれに各人が忘れやすい物を表示するのが望ましい。
【００１４】
（第二の実施形態）
つぎに、第二の実施形態に係る忘れ物防止器具２の構成について、図２を参照して説明する。忘れ物防止器具２の構成は、忘れ物防止器具１とほぼ同様であるが、シート状部材１１が複数枚で構成されている。それぞれのシート状部材１１には、かさ、めがね、カメラ、コート、マフラーの文字が記載され、文字は、かさ（青）、メガネ（赤）、カメラ（黒）のように色分けされている。使用方法は、忘れ物防止器具１と同様であるが、忘れ物防止器具１では、忘れやすい物の数分用意しなければならなかったのに対し、忘れ物防止器具２では、一つ足りる。
【００１５】
（第三の実施形態）
つぎに、第三の実施形態に係る忘れ物防止器具３の構成について、図３を参照して説明する。忘れ物防止器具３は、シート状部材１１、シート状部材に設けられた孔１２、固定部材３３で構成される。固定部材３３は、吸盤３３ａとフック３３ｂで構成される。使用方法は、忘れ物防止器具１と同様であるが、忘れ物防止器具３では、自動車のウインドウガラス等に固定することができる。
【００１６】
（第四の実施形態）
つぎに、第四の実施形態に係る忘れ物防止器具４の構成について、図４を参照して説明する。忘れ物防止器具４は、板状部材４１、板状部材に設けられた孔４２、固定部材４３で構成される。板状部材４１は、忘れ物をしやすい物の形状に形成されている。本実施形態では、傘の形状に形成されている。孔４２は、その忘れ物をしやすい物の上部の位置に設けられている。固定部材４３は、クリップ４３ａと紐４３ｂで構成されている。紐４３ｂは、端と端を縛ることで環状に形成されているが、図面上は、結び目を省略している。
【００１７】
使用方法は、忘れ物防止器具１と同様であるが、普段は忘れ物防止器具４を傘の柄に取り付けておき、車内から出るときにこれを外して、自動車のハンドルの握り部分に取り付けることができる。    
【符号の説明】
【００１８】
１：忘れ物防止器具１（第一の実施形態）
２：忘れ物防止器具２（第二の実施形態）
３：忘れ物防止器具３（第三の実施形態）
４：忘れ物防止器具４（第四の実施形態）
１１：シート状部材、  １２：孔、  １３：固定部材
３３：固定部材、  ３３ａ：吸盤、  ３３ｂ：フック
４１：板状部材、  ４２：孔、  ４３：固定部材
４３ａ：クリップ、  ４３ｂ：紐
【図１】
0003194291.tif 000003
【図２】
0003194291.tif 000004
【図３】
0003194291.tif 000005
【図４】
0003194291.tif 000006